(57)【特許請求の範囲】
【請求項１】
少なくとも、検知装置と、該検知装置によって検知された窓ガラスの破損を発信する警報手段と、外部の監視センターに伝達する送信手段と、を備えた複数種類のセキュリティ装置を構成されるセキュリティシステムにおいて、
前記検知装置は、表面に透光性の導電膜を配置するとともに端部に電極を設けた強化ガラスからなる窓ガラスであり、前記電極を介して導電膜の抵抗値変化を検出することによって窓ガラスの破損を検知し、
前記警報手段は、
前記透光性の導電膜を有するガラス板が破損すると同時に威嚇音や光を発する警報器と、
ガラス窓付近に設置されたガラス板の破損を検知した際に撮像を行うカメラを有し、
前記送信手段は、
前記カメラによって撮像された画像データをサーバーに送信して該サーバーに蓄積を行い、
該サーバーに蓄積された画像データを該サーバーのＵＲＬが記載された電子メールに添付して契約者の携帯端末へ送信を行い、
契約者がＵＲＬにアクセスすることによってカメラにアクセスすることが可能であることを特徴とするセキュリティシステム。
【発明の詳細な説明】
【０００１】
【発明の属する技術分野】
本発明は防犯ガラスとこの防犯ガラスを使用したセキュリティシステムに関し、ガラスが破損すると確実に警報を発し近隣に侵入を知らせると共に、侵入盗が侵入するまでに時間が掛かるガラス構成にすることで侵入を阻止することで被害を防止するシステムに関する。
【０００２】
【従来の技術】
近年、住宅やオフィスに侵入し現金や貴重品を盗んでゆく侵入盗が増大している。又侵入した時に家屋内の人間に気付かれ、強盗、殺人に至るケースも増えている。侵入するのは大半が窓ガラスからであり、ドライバーを用いて大きな音を立てず窓ガラスをこじ破り、サッシのクレセントを開錠して侵入したり、大きな音がしてもバール等で窓ガラスを一気に打ち破り、短時間に現金や貴重品を盗んでゆくことが多い。
【０００３】
従来のガラスの破損を検知するセキュリティシステムおいては、ガラス面に直接貼り付け、ガラスが破壊する時の音を検知して通報する超音波センサーがあるが、風による振動やペットがぶつかった時の振動等で誤動作することが多い。又窓の開閉を検知するため、マグネットで作動するリードスイッチをサッシ障子とサッシ枠に取り付けて開閉を検知するが、サッシ障子のガタで風によって誤動作を起こすことがある。
【０００４】
これらのセンサーが侵入を検知したとしても窓ガラスは容易に破壊されてしまい、短時間の間に室内に侵入され家財が盗まれてしまうことが多かった。
【０００５】
侵入までの時間を長くするために、特殊な中間膜を使用した合わせガラスや中間膜の間にポリガーボネート等の透明樹脂を挟み込んだ合わせガラスを使用することもあるが、コストが高くなってしまうことと時間を掛ければ侵入されてしまうことがあった。
【発明が解決しようとする課題】
【０００６】
侵入を防ぐためには、まず第一に誤動作のない検知手段を備えるとことがまず必要であり、一方侵入盗は周りに人の気配があったり、大きな警報音がすると侵入をあきらめてしまうこともあるが、短時間で侵入できれば構わず侵入してしまう。このためにはガラス破損と同時に大きな警報音や強力なライトで威嚇すると共に、侵入までの時間が掛かるガラスの構成が必要になる。
【課題を解決するための手段】
【０００７】
【課題を解決するための手段】
本発明は、上記の課題に鑑み、少なくとも、検知装置と、該検知装置によって検知された窓ガラスの破損を発信する警報手段と、外部の監視センターに伝達する送信手段と、を備えた複数種類のセキュリティ装置を構成されるセキュリティシステムにおいて、前記検知装置は、表面に透光性の導電膜を配置するとともに端部に電極を設けた強化ガラスからなる窓ガラスであり、前記電極を介して導電膜の抵抗値変化を検出することによって窓ガラスの破損を検知し、前記警報手段は、前記透光性の導電膜を有するガラス板が破損すると同時に威嚇音や光を発する警報器と、ガラス窓付近に設置されたガラス板の破損を検知した際に撮像を行うカメラを有し、前記送信手段は、前記カメラによって撮像された画像データをサーバーに送信して該サーバーに蓄積を行い、該サーバーに蓄積された画像データを該サーバーのＵＲＬが記載された電子メールに添付して契約者の携帯端末へ送信を行い、契約者がＵＲＬにアクセスすることによってカメラにアクセスすることが可能であることを主たる特徴としている。
【０００８】
上記構成によれば、ガラス破損を確実に検知するために、透明な導電膜を有するガラスを使用し、ガラス板の端部に設けた電極を介し導電膜の抵抗値変化を検出することにより、誤報のない検知手段が実現する。
【０００９】
又ガラスには透明な導電膜を形成されているので、侵入盗にはセンサーがあるとは気付かれないし、電極はサッシ内に隠されて気付かれないことから侵入盗に対し、ガラスが破損した瞬間に大きな警報音が鳴ると威嚇効果は更に増大する。
【００１０】
ガラスを破壊し、侵入までの時間が掛かるようにするため、室外側のガラスには透明な導電膜を有するガラスを使用して、中間膜には破り難い樹脂膜や樹脂板を使用した合わせガラスにすることが出来る。また複層ガラスで室外側に透明な導電膜を有するガラスを使用し、室内側は合わせガラスにすることも出来る。このことにより、まず透明な導電膜を有するガラスが破損した瞬間に大きな警報音や強力なライトで威嚇が始まり、それからガラスをこじ破るため、時間が掛かる。また、ガラス窓付近に設置されたガラス板の破損を検知した際に撮像を行うカメラを配置することによって、侵入者の画像を撮像することが可能である。前記カメラによって撮像された画像データは、サーバーに送信して該サーバーに蓄積を行うとともに、該サーバーに蓄積された画像データを該サーバーのＵＲＬが記載された電子メールに添付して契約者の携帯端末へ送信を行い、契約者がＵＲＬにアクセスすることによってカメラにアクセスすることが可能であり、撮像した画像データを契約者が確認して警察に出動を要請するなど、状況に応じた適宜の対応を行なうことも可能である。さらに、透光性の導電膜を有する窓ガラスを強化ガラスにすれば、ガラス破損時には粉々になり導電膜の抵抗値は無限大になるので抵抗値変化を検知する検知器を省略し、警報装置やセキュリティ装置の直接接続する事もできる。
【００１１】
図１は、本発明の概要を示す説明図である。１は透明な導電膜を有するガラスを使用した窓ガラスで、２はガラスの抵抗値変化を検出する検知装置であり、３は検知装置に接続され、屋外に設置されたサイレンやフラッシュライトからなる警報装置、４はガラス窓付近に設置されたカメラで、ガラスが破損し検知装置が作動した時に画像保存を開始するよう検知装置２に接続される。５は外部の監視センターに伝達する送信手段とを備えたセキュリティ装置（ホームコントローラー）であり、電話回線でコールセンター８に接続される。
【００１２】
ガラスが破損すると同時にサイレンやフラッシュライトからなる警報装置が作動し、侵入盗を威嚇する。同時にカメラが作動し画像を記録する。侵入盗はガラスを完全に破壊し、室内まで侵入するには時間が掛かるので、この間カメラが撮影した画像はＡＤＳＬ等により、契約者の携帯電話に添付ファイルとして送付できる。この時メールでは画像を蓄積しているサーバーのＵＲＬを記載することにより、契約者はカメラにアクセスすることも可能である。
【００１３】
コールセンター８ではセキュリティ装置（ホームコントローラー）５からの通報により、契約者の指定した順番で異常があったことを順次連絡する。契約者はメール又はコールセンターからの連絡により、室内の状況を確認し、警察に出動を要請することができる。
【００１４】
ガラスが破損すると同時にサイレンやフラッシュライトからなる警報装置が作動し、侵入盗を威嚇するのでガラス窓が破り難い構成になっていて、侵入までの時間が掛かりそうな時には、侵入盗は侵入をあきらめて被害を未然に防ぐこともできる。
【００１５】
図２乃至図５は本発明に使用されるガラスの構成を示している。図２は、単板ガラス、図３は、合わせガラス、図４は、複層ガラス
図５は、引き違いサッシの形態を示している。検知装置は、透光性の導電膜を有する窓ガラス１１であり、窓ガラス板の端部に設けた電極を介し導電膜１２の抵抗値変化を検出することにより窓ガラスの破損が検知される。
【００１６】
透光性の導電膜を有する窓ガラスを強化ガラスにすれば、ガラス破損時には粉々になり導電膜の抵抗値は無限大になるので抵抗値変化を検知する検知器を省略し、警報装置やセキュリティ装置の直接接続する事もできる。
【００１７】
又、複数枚の透光性の導電膜を有するガラスを使用し、ガラス破損を２回検知する事により、侵入を確実に検知でき、警察に通報する事が可能になる。
【発明の効果】
本発明は、上記の如く構成したことにより、ガラス破損を検知するために、誤報のない検知が可能である。また、透明な導電膜を用いたことで、侵入盗にセンサーの存在が気付かれることなく、電極はサッシ内に隠されて気付かれないことから侵入盗に対し、ガラスが破損した瞬間に大きな警報音が鳴り威嚇効果を増大させることができる。更に、ガラスの形態を合わせガラスや複層ガラスにすることにより、ガラス破損に時間がかかり、防犯効果が高い。
また、ガラス窓付近に設置されたガラス板の破損を検知した際に撮像を行うカメラを有し、撮像された画像データをサーバーに蓄積を行うとともに、サーバーのＵＲＬが記載された電子メールに添付して契約者の携帯端末へ送信を行い、契約者がＵＲＬにアクセスすることによってカメラにアクセスすることが可能であり、撮像した画像データを契約者が確認して警察に出動を要請するなど、状況に応じた適宜の対応を行なうことも可能である。さらに、透光性の導電膜を有する窓ガラスを強化ガラスにすれば、ガラス破損時には粉々になり導電膜の抵抗値は無限大になるので抵抗値変化を検知する検知器を省略し、警報装置やセキュリティ装置を直接接続する事も可能である。
【図面の簡単な説明】
【図１】本発明の概要を示す説明図である。
【図２】本発明に用いられる防犯ガラスの実施例を示す説明図である。
【図３】本発明に用いられる防犯ガラスの実施例を示す説明図である。
【図４】本発明に用いられる防犯ガラスの実施例を示す説明図である。
【図５】本発明に用いられる防犯ガラスの実施例を示す説明図である。
【符号の説明】
１  窓ガラス
２  検知装置
３  警報装置
４  カメラ
５  セキュリティ装置（ホームコントローラー）
６  電話回線網
７  サーバー
８  コールセンター
１１  ガラス
１２  透明導電膜
１３  電極
【図１】
0004235899.tif 000002
【図２】
0004235899.tif 000003
【図３】
0004235899.tif 000004
【図４】
0004235899.tif 000005
【図５】
0004235899.tif 000006